(57)【要約】【課題】消費電力を抑え、かつデジタル放送受信を的確に受信できる携帯端末装置を提供する。【解決手段】デジタル・テレビ放送信号を受信するためのテレビ受信機能と、データ通信機能を有する携帯端末機器は、テレビ受信機能を実現するためのテレビ信号処理回路と、データ通信機能を実現するためのデータ通信処理回路と、テレビ信号処理回路とデータ通信処理回路へ電力を供給するための電源部と、テレビ信号処理回路への電源部からの電力の供給を制御するためのスイッチと、データ通信機能を利用して、テレビ信号処理回路においてデジタル・テレビ信号を受信するために用いられる選局情報を、電子メールによって受信するための電子メール受信部とを有する。【選択図】図４
2005109588.tif 000002
【特許請求の範囲】
【請求項１】
デジタル・テレビ放送信号を受信するためのテレビ受信機能と、データ通信機能を有する携帯端末機器であって、
前記テレビ受信機能を実現するためのテレビ信号処理回路と、
前記データ通信機能を実現するためのデータ通信処理回路と、
前記テレビ信号処理回路と前記データ通信処理回路へ電力を供給するための電源部と、
前記テレビ信号処理回路への前記電源部からの電力の供給を制御するためのスイッチと、
前記データ通信機能を利用して、前記テレビ信号処理回路において前記デジタル・テレビ信号を受信するために用いられる選局情報を、電子メールによって受信するための電子メール受信部とを有することを特徴とする携帯端末装置。
【請求項２】
前記電子メールの受信に応じて所定の操作がされたときに、前記スイッチがオンされて、前記テレビ信号処理回路へ前記電源部からの前記電力が供給されることを特徴とする請求項１に記載の携帯端末装置。
【請求項３】
さらに記憶装置を有し、
前記電子メールの受信に応じて前記所定の操作がされなかったときに、前記選局情報に基づいて受信した前記デジタル・テレビ信号のデータを前記記憶装置に記憶することを特徴とする請求項２に記載の携帯端末装置。
【請求項４】
前記電子メールは、視聴予約された番組の放送開始時刻に先立って送信される電子メールであり、前記選局情報は、前記テレビ信号処理回路において前記視聴予約された番組を受信するための情報であることを特徴とする請求項１から請求項３のいずれかに記載の携帯端末装置。
【請求項５】
デジタル・テレビ放送信号を受信するためのテレビ受信機能とデータ通信機能とを有する携帯端末装置と、放送される番組の選局情報を提供するセンタ装置とを含むテジタル・テレビ放送受信システムであって、
前記携帯端末装置は
前記テレビ受信機能を実現するためのテレビ信号処理回路と、
前記データ通信機能を実現するためのデータ通信処理回路と、
前記テレビ信号処理回路と前記データ通信処理回路へ電力を供給するための電源部と、
前記テレビ信号処理回路への前記電源部からの電力の供給を制御するためのスイッチと、
前記データ通信機能を利用して、前記テレビ信号処理回路において前記デジタル・テレビ信号を受信するために用いられる選局情報を、電子メールによって受信するための電子メール受信部とを有し、
前記センタ装置は、
ユーザからの前記番組の放送の受信の予約データを記憶する記憶装置と、
前記予約データに基づいて前記番組の放送の開始に先立って、前記番組を視聴する前記携帯電話機へ、前記予約データに係る前記番組を受信するために用いられる前記選局情報を、前記電子メールによって送信する電子メール送信手段とを有することを特徴とするデジタル・テレビ放送受信システム。
【請求項６】
前記選局情報は、前記携帯端末装置の位置情報に応じた選局情報であることを特徴とする請求項５に記載のデジタル・テレビ放送受信システム。
【請求項７】
前記携帯端末装置は、携帯電話機であり、前記位置情報は、該携帯電話機の位置情報であることを特徴とする請求項６に記載のデジタル・テレビ放送受信システム。
【請求項８】
前記電子メール送信手段は、前記番組の放送の開始時刻が変更されたときは、前記予約データに係る前記番組の放送開始時刻に前記変更があったことを通知するための変更通知電子メールを送信することを特徴とする請求項５から請求項７のいずれかに記載のデジタル・テレビ放送受信システム。
【請求項９】
デジタル・テレビ放送信号を受信するためのテレビ受信機能とデータ通信機能とを有する携帯端末装置と、放送される番組の選局情報を提供するセンタ装置とを利用して前記テジタル・テレビ放送信号を前記携帯端末装置において受信するデジタル・テレビ放送信号受信方法であって、
前記携帯端末装置は
前記テレビ受信機能を実現するためのテレビ信号処理回路と、
前記データ通信機能を実現するためのデータ通信処理回路と、
前記テレビ信号処理回路と前記データ通信処理回路へ電力を供給するための電源部と、
前記テレビ信号処理回路への前記電源部からの電力の供給を制御するためのスイッチと、
前記データ通信機能を利用して、前記テレビ信号処理回路において前記デジタル・テレビ信号を受信するために用いられる選局情報を、電子メールによって受信するための電子メール受信部とを有し、
前記センタ装置は、
ユーザからの前記番組の放送の受信の予約データを記憶する記憶装置と、
前記予約データに基づいて前記番組の放送の開始に先立って、前記番組を視聴する前記携帯端末装置へ、前記予約データに係る前記番組を受信するために用いられる前記選局情報を、前記電子メールによって送信する電子メール送信手段とを有し、
前記方法は、
前記センタ装置が、前記携帯端末装置から前記番組の予約情報を受信して、前記予約データを生成する工程と、
前記センタ装置が、前記電子メール送信手段によって前記電子メールを送信する工程と、
前記携帯端末装置は、前記電子メールによって送信された前記選局情報に基づいて前記デジタル・テレビ信号を受信する工程とを有することを特徴とするデジタル・テレビ放送受信方法。
【発明の詳細な説明】
【技術分野】
【０００１】
本発明は、携帯端末装置、デジタル・テレビ放送受信システム及びデジタル・テレビ放送受信方法に関し、特に、消費電力を抑え、かつデジタル・テレビ放送を的確に受信するための携帯端末装置、デジタル・テレビ放送受信システム及びデジタル・テレビ放送受信方法に関する。
【背景技術】
【０００２】
地上波デジタル・テレビ放送に関しては、家庭等に設置される据え置き型のTV受信機向けの高データレート放送（以下１３セグメント放送）と、主に携帯端末機器型のTV受信機向けの低データレート放送（以下１セグメント放送）が規格化されている。この１セグメント放送用の受信機として、ａ）携帯性を重視した専用TV受信機、ｂ）個人用の情報端末で一般にPDA（Personal Digital Assistant）と呼ばれる携帯情報端末（以下、PDAという）、パーソナルコンピュータ(以下、PCという)等の汎用機器を利用し、デジタル放送受信モジュール、カード等の後付機器を汎用機器に接続することにより、いわゆるモバイルTVとして機能させる形態のTV受信機、ｃ）携帯電話機にデジタル放送受信機を組み込んで、携帯電話機の表示画面と信号処理機能を利用したデジタル放送の受信が可能な携帯電話機、等が想定されている（例えば、非特許文献１参照）。
【０００３】
ところで、日本の地上デジタル放送の受信に際しては、TV受信機は、SI（Service Information）/PSI（Program Specific Information）とよばれる情報に基づいて、選局のための情報、例えば各チャンネルの周波数等の情報等を得て、希望するチャンネルの受信ができるようになっている。SIは、番組配列情報であり、番組選択の利便性のために規定された各種情報である。SIは、総務省令で定義され、内容はARIB規格として規定されている。また、ARIB規格独自の拡張部分に加えて、MPEG-2のPSI情報も、SIに含まれる。PSIは、番組特定情報であり、所要の番組を選択するために必要な情報で、PAT（Program Association Table）、PMT（Program Map Table）、NIT（Network Information Table）、CAT（Conditional Access Table）の4つのテーブルからなる。PSIは、MPEG-2システムズ規格であり、総務省令で規定されている。
【非特許文献１】「いよいよテレビ・ケータイ  １時間の視聴が射程に」日経エレクトロニクス、2003.8.18,P.90〜95
【発明の開示】
【発明が解決しようとする課題】
【０００４】
しかし、携帯電話機等の携帯端末機器型の場合、一般に軽量かつ小型であることが望まれることから、搭載する電池の容量には限界がある。例えば携帯電話機にデジタル放送受信機を組み込んだいわゆるモバイルTVを想定すると、携帯電話機の機能に加えて、デジタル放送受信機能用にも電池を消費することになり、携帯電話機のみ使用していた場合に比べ、より電池の消費が大きくなることが予想される。よって、携帯電話機等における消費電力を抑えるようにしなければ、いわゆるモバイルTVの実用性が低くなってしまう。
【０００５】
さらに、地上デジタル放送は地域単位の放送であり、移動とともに現在受信している地域から別の地域に移動した際には、その地域のSI/PSIの情報を取得しないと、選局できないという問題がある。  
また、SI/PSIの情報の伝送速度の制限から情報を取得するまでにかなりの時間が掛かる。SI/PSIの各情報ごとに伝送周期は異なるが、長いものは百数十秒の周期で伝送される。さらにまた、SI/PSIの情報には、各チャンネル毎に伝送されない情報もあるため、その地域で放送されている全てのチャンネルの情報を取得しようとするとさらに時間が必要となる場合がある。
【０００６】
本発明は、上述した問題点を鑑みてなされたものであり、消費電力を抑え、かつデジタル放送受信を的確に受信できる携帯端末装置を提供することを目的とする。
【課題を解決するための手段】
【０００７】
本発明の携帯端末装置は、デジタル・テレビ放送信号を受信するためのテレビ受信機能と、データ通信機能を有する携帯端末機器であって、前記テレビ受信機能を実現するためのテレビ信号処理回路と、前記データ通信機能を実現するためのデータ通信処理回路と、前記テレビ信号処理回路と前記データ通信処理回路へ電力を供給するための電源部と、前記テレビ信号処理回路への前記電源部からの電力の供給を制御するためのスイッチと、前記データ通信機能を利用して、前記テレビ信号処理回路において前記デジタル・テレビ信号を受信するために用いられる選局情報を、電子メールによって受信するための電子メール受信部とを有する。
【発明の効果】
【０００８】
本発明によれば、消費電力を抑え、かつデジタル放送受信を的確に受信できる携帯端末装置を実現することができる。
【発明を実施するための最良の形態】
【０００９】
以下、図面を参照して本発明の実施の形態を説明する。  
（第１の実施の形態）  
（システム構成と主な動作）  
まず、本実施の形態に係わるシステムの構成を説明する。図１は、本実施の形態に係わるデジタル・テレビ放送受信システムの構成を示す構成図である。
【００１０】
図１において、１は、携帯端末機器型のTV受信機であり、地上波デジタル・テレビ放送を受信する機能と携帯電話機としての機能とを有する、デジタル・テレビ放送受信機が組み込まれている携帯電話機である。携帯電話機１は、地上波デジタル・テレビ放送を受信するテレビ受信機能によって、受信したテレビ放送の内容の映像が液晶表示装置（以下、LCDという）に表示され、受信したテレビ放送の内容の音声がスピーカ、イヤホン等から出力される。また、携帯電話機１は、携帯電話機の通話機能に加えて、データ通信機能も有している。携帯電話機１は、データ通信機能の下で、例えば電子メールの送受信が可能である。従って、携帯電話機１は、各放送局からのテレビ放送信号を受信することができ、さらに電子メール等のデータ通信を行うことができる。
【００１１】
２は、通信ラインとしてのインターネット３に接続された視聴予約サーバであり、放送局等のサーバ等のコンピュータから通信により適宜最新の番組情報すなわちEPG（Electronic Program Guide）情報を得て、あるいは、テレビ放送の信号を受信しその中に含まれる最新の番組情報を受信することによって、その番組情報に含まれる最新のSI/PSI情報を取得する。上述したように、SI/PSI情報は、ユーザが視聴したい番組を適切に選局して視聴することができるようにするための情報、すなわち選局情報である。なお、本実施の形態では、SI/PSI情報を選局情報の一つの例として説明するが、携帯電話機１がその存在するエリアにおいて予約した番組をユーザが選局して視聴できるようにする情報であれば、選局情報はその存在するエリアのSI/PSI情報のみでよく、全国の放送局のSI/PSIの全ての情報を含まなくてもよい。さらになお、本実施の形態では、視聴予約サーバ２は、全国の放送局のSI/PSI情報を取得することができるものとする。視聴予約サーバ２は、例えば地上波デジタル・テレビ放送は県域放送であるため、各県の放送局のSI/PSI情報を、記憶しておく必要がある。また、SI/PSI情報としては、関東、関西、中部などの広域放送圏では複数の県で同じ情報が使用される場合もある。
【００１２】
地上波デジタル・テレビ放送（以下、単にテレビ放送ともいう）は地域性を有しているため、エリアA、例えば東京地区においては、携帯電話機１は、エリアAにおいて予め決められたSI/PSI情報に基づいて選局を行わなければ、テレビ放送の信号を正しく受信することができない。SI/PSI情報は、携帯電話機１のテレビ受信機能を利用して、ユーザが番組を視聴するときに、ユーザが希望する番組を選局等できるようにするためのデータである。そのために、携帯電話機１は、後述するように視聴予約サーバ２から、電子メールによって通信回線であるインターネット３を介してSI/PSI情報を受信する。具体的には、ユーザは、携帯電話機１を利用して視聴予約サーバ２に対して、視聴を希望する番組を予め予約しておくと、番組の放送に先立って、携帯電話機１は視聴予約サーバ２からSI/PSI情報を受信する。そして、携帯電話機１は、その受信したSI/PSI情報に基づいて選局を行うので、ユーザは、携帯電話機１を用いて希望する番組を視聴することができる。
【００１３】
図１において、エリアA内では、放送局A1からAnのｎ個（ｎは整数）の放送局があれば、放送局毎に予め決められた周波数の信号を出力する等、各放送局は、エリアAについて予め決められた方式、すなわち周波数、変調方式等でテレビ放送を行っており、これらの情報がSI/PSI情報に配置される。後述するように、ユーザが視聴したい番組を選択して予約しておくと、その番組を放送する放送局からのテレビ放送の信号をユーザが選局して視聴できるようにするためのSI/PSI情報のデータを、携帯電話機１は電子メールによって受信する。その結果、ユーザは受信したSI/PSI情報に基づいて、携帯電話機１を利用して、予約した番組の放送局からの信号を選局してデコードし視聴することができる。
【００１４】
ユーザが携帯電話機１を持って、エリアAからの他のエリアB、例えば名古屋地区へ移動すると、エリアBにおいて予め決められたSI/PSI情報に基づいて選局を行わなければ、携帯電話機１は、テレビ放送の信号を正しく受信することができない。これは、エリアB内においても、放送局B1からBmのｍ個（ｍは整数）の放送局があれば、放送局毎に予め決められた周波数の信号を出力する等、各放送局は、エリアBについて予め決められた方式、すなわち周波数、変調方式等でテレビ放送を行っているからである。しかし、後述するように、ユーザは、携帯電話機１を利用して視聴予約サーバ２に対して、視聴を希望する番組をエリアAにいるときに番組予約を行っておけば、予約した番組の放送開始時刻に先立って、携帯電話機１は視聴予約サーバ２から電子メールによってエリアBにおけるSI/PSI情報をエリアBにおいて受信する。よって、携帯電話機１は、その受信したSI/PSI情報に基づいて選局を行うので、ユーザは、エリアBにおいて携帯電話機１を用いて希望する番組を視聴することができる。
【００１５】
以上のように、エリアAにおいてユーザが視聴したい番組を予約しても、携帯電話機１は、エリアBにおいて受信したSI/PSI情報に基づいて、予約した番組を放送する放送局からのテレビ放送の信号を適切に選局、デコード等できるので、ユーザは、携帯電話機１を用いて、視聴を希望する番組を視聴することができる。
【００１６】
次に、より具体的に上述した携帯電話機１におけるテレビ放送の受信方法について説明する。  
例えば、ユーザがエリアAにおいて、放送局A1が月曜日の２０時に放送している「２０時のニュース」という番組の視聴を、予約するとする。その場合、ユーザは、インターネット３を介して視聴予約サーバ２にアクセスして、携帯電話機１のデータ通信機能を利用してその番組予約を行う。ユーザが携帯電話機１を利用して視聴予約サーバ２へアクセスし番組予約を行う方法としては、例えば、インターネット３に接続された、ウエブサーバとしての視聴予約サーバ２の予め決められたサイトのURL（Uniform Resource Locator）にアクセスする方法である。ユーザが、携帯電話機１を利用して番組予約を行うと、視聴予約サーバ２は、ユーザ毎の予約データを、記憶装置２ａに記憶すなわち登録する。
【００１７】
予約データは、携帯電話機１の電子メールアドレス、予約された番組情報を含む。番組情報は、予約された番組を放送する放送局、放送開始時刻、番組の識別子（以下、番組IDという）を含む。
【００１８】
視聴予約サーバ２は、地域毎にあってもよいし、全国共通のあるいは複数の地域を統合して設けられたものでもよいが、上述したいように、ここでは、全国共通の視聴予約サーバの例で説明する。全国共通の視聴予約サーバは、各放送局のコンピュータ（以下、サーバともいう）から取得した放送局毎のSI/PSI情報を含むEPG等の番組情報を、記憶装置２ａにストアし、かつ上述したユーザ毎の予約データも記憶装置２ａにストアしている。
【００１９】
次に、視聴予約サーバ２の予約処理について説明する。図２は、視聴予約サーバ２における番組予約処理の流れの例を示すフローチャートである。視聴予約サーバ２は、いわゆるウエブサーバであり、ユーザは、携帯電話機１のウエブブラウザを利用してインターネット３を介して視聴予約サーバ２にアクセス可能となっている。視聴予約サーバ２は、そのアクセスに応じて携帯電話機１へインターネット３を介してEPG等の番組情報を供給できると共に、携帯電話機１へ電子メールを送信することもできる。携帯電話機１は、ウエブサーバである視聴予約サーバ２から供給されたデータに基づいて番組情報を、ウエブブラウザによって表示することができる。なお、視聴予約サーバ２は、中央処理装置（以下、CPUという）を有するコンピュータであり、記憶装置２ａ等に予めストアされたプログラムを実行することによって、以下に説明する各種処理が実行される。
【００２０】
まず、視聴予約サーバ２は、携帯電話機１から、インターネット３を介して視聴予約サーバ２にアクセスがあるか否かを判断する（ステップ（以下、Sと略す）１）。アクセスがあると、S1でYESとなって、携帯電話機１の位置情報を取得する（S2）。携帯電話機１の位置情報は、携帯電話機１の携帯電話サービスを提供している通信事業者のコンピュータCCに対して、視聴予約サーバ２が、インターネット３等を介する通信により問い合わせることによって取得される。
【００２１】
次に、視聴予約サーバ２は、その携帯電話機１へ携帯電話機１が現在いるエリアで受信可能な番組情報のデータを送信する（S3）。携帯電話機１では、受信したデータに基づいて番組情報がLCDに表示されるので、ユーザはその番組情報の番組一覧中から予約したい番組を選択することができる。例えば、ウエブサーバとしての視聴予約サーバ２は、番組一覧のデータをリスト形式で送信し、アクセスしてきたユーザの携帯電話機１のLCD上に番組一覧を表示させる。ユーザは、携帯電話機１のボタンを操作して、LCDを見ながら視聴したい番組にカーソルを移動させてその番組を選択し、送信ボタンを押す、すなわち予約指示を行うことができる。
【００２２】
なお、視聴予約サーバ２から送信される番組一覧の画面、例えばEPG画面は、携帯電話機１においても表示し易いように、例えば、放送局毎、ジャンル毎、時間帯毎など、ある程度表示する番組数を絞った表示形式であることが望ましい。さらには、携帯電話機１が現在いるエリア以外で受信可能な番組を予約できるように、エリア（地域）を指定するメニューがあっても良い。
【００２３】
次に、番組予約があったか否かが判断される（S4）。ユーザが視聴したい番組を選択し、予約指示を行うと、携帯電話機１から視聴予約サーバ２へ、携帯電話機１の固有の情報、例えば、電話番号、電子メールアドレスと共に、選択された番組の情報、例えば番組の識別コード等が送信される。従って、視聴予約サーバ２は、番組の識別コード等のデータを受信するので、予約があったと判断することができる。
【００２４】
視聴予約サーバ２は、予約指示がなければ、S4でNOとなって何もせず、予約指示があると、予約データを作成する（S5）。予約データは、例えば、予約指示のデータを送信してきた携帯電話機１の電話番号及び電子メールアドレスと、番組の識別コード情報である。そして、視聴予約サーバ２は、生成された予約データを、記憶装置２ａにストアする（S6）。
【００２５】
次に、視聴予約サーバ２における携帯電話機１への選局情報の送信処理について説明する。図３は、視聴予約サーバ２における携帯電話機１への選局情報の送信処理の流れの例を示すフローチャートである。
【００２６】
まず、視聴予約サーバ２は、記憶装置２ａに記憶された予約データを参照し、予約された番組の放送が開始される予約時刻よりも所定時間前になったか否かを判断する(S11)。例えば、その日の２０時が予約された番組の放送開始時刻であれば、所定時間、例えば５分前になったか、すなわち１９時５５分になったか否かが判断される。なお、この所定時間は、予約された番組の放送予定状況を確認し、かつ携帯電話機１の位置情報を得るのに必要十分な時間であり、例えば、５から１０分程度である。S11でNOであれば、何も処理はされない。
【００２７】
S11でYESであれば、視聴予約サーバ２は、予約された番組情報の最新データを取得する（S12）。この最新データは、視聴予約サーバ２が、放送局等のサーバ等のコンピュータから通信により適宜最新の番組情報を得て、あるいは、テレビ放送の信号BBを図示しない受信装置によって受信し、そのSI/PSI情報中に含まれる当該番組に関する情報を受信することによって、最新の番組情報を取得することができる。視聴予約サーバ２は、その最新のデータと予約データを比較することによって、予約された番組の放送開始時刻に変更があるか否かが判断される（S13）。例えば、２０時の予定だったのが、３０分遅れて放送が開始されるような場合は、S13でYESとなって、予約データの放送開始時刻を変更された開始時刻に変更にし（S14）、S11へ戻る。予約された番組の放送開始時刻に変更がなければ、S13でNOとなって、次に携帯電話機１の位置情報を取得する（S15）。この位置情報は、例えば、携帯電話機１に対する携帯電話サービスの提供を行っている通信事業者Cの有するコンピュータCCに対して、視聴予約サーバ２が、通信を行い、例えばインターネット３を介して携帯電話機１の位置情報を要求することによって取得される。
【００２８】
視聴予約サーバ２は、取得した携帯電話機１の位置情報に基づいて、携帯電話機１の存在するエリアに対応した選局情報であるSI/PSI情報を、記憶装置２ａのデータを検索して取得する（S16）。視聴予約サーバ２は、各放送局からの放送信号BBを図示しない受信装置によって受信することによって、最新のSI/PSI情報を取得するか、あるいは各放送局のコンピュータAC1、・・・、ACｎ、BC1、・・・、BCｍ等とのインターネット３等の通信ラインを介したデータ通信によって、最新のSI/PSI情報を取得する。視聴予約サーバ２は、取得した最新のSI/PSI情報の中から、少なくとも視聴予約した番組を受信するために必要な一部または全部のSI/PSI情報を携帯電話機１へ電子メールによって送信する（S17）。電子メールに添付されるSI/PSI情報は、ユーザの保有する携帯電話機１の位置に応じたSI/PSI情報である。
【００２９】
次に、携帯電話機１の構成について詳細に説明する。図４は、携帯電話機１の構成例を示すブロック図である。上述したように、携帯電話機１は、携帯電話機にテレビ放送の受信機能を付加した携帯電話機である。図４において１点鎖線１０で囲んだ範囲に含まれる、テレビ放送を受信するための復調、選局回路、映像音声等のデコード回路などが、携帯電話機に追加し内蔵されている。なお、テレビ放送の映像を表示する表示部については携帯電話機１に元々あるLCDをテレビ放送の視聴の際に切り替え使用する。テレビ放送の音声は携帯電話機１からイヤホンジャック等を通じて提供され、イヤホン、ヘッドホンで聴く。また映像音声等のデコード回路に関しては、携帯電話機１の付加機能として最近注目されているムービー機能のための処理回路を共用しても良い。
【００３０】
図４に示すように、携帯電話機１において、符号１１から１１１までのブロックが、従来の携帯電話機における携帯電話機としての機能に必要なブロックであり、電子メール受信部を含むデータ通信処理回路も含まれる。携帯電話機１において、アンテナ１１からアンプ１２を介して入力した信号はＲＦ回路において周波数変換された後、ベースバンド回路１５において処理され、通話相手の音声はスピーカ１９もしくはイヤホンジャック１１１等を通じて出力される。一方、携帯電話機１のマイク１１０に入力された音声もベースバンド回路１５において処理され、ＲＦ回路１４において周波数変換された後、アンプ１３を介してアンテナ１１から無線信号として出力される。
【００３１】
また、電子メール等の受信データはマイクロコンピュータ（以下、マイコンという）１６等で復号された後、ディスプレイ部１８に表示されるほか、発信、着信の際の操作に関わる表示も同様に、マイコン１６で処理され、ディスプレイ部１８に表示される。キー入力部１７は電話、メール等の操作を行うための一連のキー入力部である。
【００３２】
これに対し、符号１１２から１１５がテレビ放送を受信するために追加された回路である。テレビ放送の映像を表示する表示部については携帯電話機１に元々あるディスプレイ部１８をテレビ放送の視聴の際に切り替え使用するために、切り替え回路１１２が設けられているほか、テレビ放送の音声はイヤホンジャック１１１等を通じて出力するために、切り替え回路１１３が設けられている。なお、音声をスピーカを通じて出力する場合には、スピーカ１９の前にも切り替え回路（図示せず）が追加される。
【００３３】
映像音声等のデコード回路に関しては、図４に示すように、選局、復調、エラー訂正、MPEGデマルチプレックス等のための回路（以下、選局復調回路という）１１４の後段に、MPEGデコード回路１１５が追加されているが、ベースバンド回路１５やマイコン１６などの携帯電話機の機能の一部で処理可能な場合には、これらの回路等を共用しても良い。テレビ放送の受信チャンネルの切り替え入力のために、携帯電話機１のキー入力部１７が共用されるものとする。またアンテナ１１は、携帯電話機１の携帯電話機としてのアンテナと機能、性能が共用できない場合には、アンテナ１１とは別にテレビ放送受信用のアンテナを設けるようにしてもよい。
【００３４】
また、携帯電話機１には電源が２系統設けられ、図４に示すように、それぞれ第１の電源系統BAT１、第２の電源系統BAT２と示している。第１の電源系統BAT1はスイッチ１１７を操作することによってユーザがオン／オフできる電源であり、スイッチ１１７を介して電池１１８と接続されている。この第１の電源系統BAT1は、第２の電源系統BAT2の電力が供給される選局復調回路１１４、MPEGデコード回路１１５等、少なくともテレビ放送を受信してユーザが視聴するためだけに使用されるテレビ信号処理回路以外に供給される電源である。第２の電源系統BAT2は、第１の電源系統BAT1の先にさらに設けられたスイッチ１１６によってオン／オフできる電源であり、スイッチ１１６は後述するようにマイコン１６がテレビの視聴状態に応じて切り替えて、選局復調回路１１４、MPEGデコード回路１１５等のテレビ信号処理回路への電池１１８からの電力供給を制御するためのものである。
【００３５】
なお、本実施の形態では、携帯端末機器型のTV受信機は、上述したように携帯電話機にテレビ放送受信のための回路を付加したものとして説明するが、専用TV受信機に携帯電話の通信モジュールを追加して組み込んだものでもよく、さらに、PDA等の汎用機器にデジタル放送受信モジュールを接続したものに、携帯電話の通信モジュールを追加して組み込んだものでもよい。この場合、携帯電話の通信モジュールとは、例えばデータ通信に特化したPCカード型のモジュールやコンパクトフラッシュ型のモジュールであり、上記専用TV受信機等に接続し、使用される。
【００３６】
上述した図３のS17において選局情報が、電子メールによって携帯電話機１へ送信され携帯電話機１で受信し、ユーザがそのメールを選択し表示すると、携帯電話機１には、ユーザがテレビ放送の視聴予約をしてあったことを示す表示がLCD上に行われる。図５は、その表示例を示す図である。携帯電話機１は、表示部としてのLCD１ａと、操作入力用のボタン部１ｂを有する。LCD１ａの表示部には、「予約番組がまもなく開始されます。番組名：＊＊＊＊  視聴する時は、以下をクリック。」というメッセージ表示部１ａａと、視聴指示を入力するための表示ボタン部１ａｂが含まれる。
【００３７】
従って、携帯電話機１は、図５に示すような視聴予約の有無を告知する電子メールを受信するまで、前記図４のスイッチ１１６をオフとして、テレビ放送受信のための回路への電力供給を停止しておくことが可能である。すなわち、選局に必要であり、通常のTV受信機では常時更新し管理する必要があるSI/PSI情報が、電子メールによる通知時に電子メールに添付ファイルとして添付されて提供される。そのため、電子メールの受信動作後、所定の電子メールを受信したときに所定のプログラムが実行されることによって、SI/PSI情報をストアする記憶装置の内容が更新される。よって、ユーザは、SI/PSI情報を常時更新管理する必要が無く、前記図４のスイッチ１１６をオフとして電源供給を停止しておくことが可能である。このスイッチ１１６をオフした状態では、携帯電話機１は、テレビ放送受信機能無しの通常の携帯電話機と同じ回路構成となるので、省電力となる。
【００３８】
図６は、携帯電話機１の電子メールの受信時の処理の流れの例を示すフローチャートである。まず、視聴予約サーバ２から電子メールを受信すると、図６の処理が実行される。まず、視聴予約サーバ２からの電子メールを受信すると、添付ファイルのデータでSI/PSI情報を更新する（S21）。この更新によって、テレビ放送を受信するときに必要な選局等のための周波数、変調方式等のデータが更新され、携帯電話機１は、自己が存在するエリアの放送局の信号を適切に受信するためのデータを用意することができたことになる。
【００３９】
次に、図５の画面を表示する（S22）。そして、図５の視聴ボタン１ａｂが押すという所定の操作がされたか否かが判断され（S23）、視聴ボタン１ａｂが押されなかったときは、処理は何もせず、視聴ボタン１ａｂが押されたときは、テレビ放送受信用のスイッチ１１６をオンにする（S24）。このとき、切り替え回路１１２及び１１３も入力信号を、ベースバンド回路１５からMPEGデコード回路１１５の出力信号に切り替えられる。さらに更新されたSI/PSI情報を使用して選局復調回路１１４、MPEGデコード回路１１５に予約選択した番組を受信するようにデータを設定し、よって、携帯電話機１の表示部であるLCD１ａには予約したテレビ放送の画面が表示され、イヤホンからはテレビ放送の音声が出力される。
【００４０】
なお、上述したように、電子メールの受信動作後、SI/PSI情報をストアする記憶装置の内容を自動的に更新するようにしてもよいが、電子メールに添付される番組情報は、ユーザが携帯電話機１を操作することによって、選局復調回路１１４、MPEGデコード回路１１５等が用いるSI/PSI情報をストアする記憶装置（図示せず）の内容を更新するようにしてもよい。すなわち、ユーザは、携帯電話機１を操作することによって、図５に示すような電子メールの表示時に、既に記憶装置（図示せず）にストアされているSI/PSI情報の内容を、添付ファイルのデータで更新する。
【００４１】
なお、上述した例では、視聴予約サーバ２は、携帯電話機１の通信を管理する通信事業者のコンピュータCCに問い合わせることによって、携帯電話機１の現在位置情報を得ていたが、その通信事業者自体が視聴予約サーバ２の管理を行う場合は、視聴予約サーバ２は、通信ライン（図示せず）で接続されたコンピュータCCのデータを検索することによって、携帯電話機１の現在位置情報を得ることができる。
【００４２】
また、上述した例によれば、予約した番組に放送予定時間等の変更がある場合すなわちいわゆる流動編成発生時には、変更された時間まで電子メールの送信がされず、変更された時間になったときに、視聴予約サーバ２は、再度最新の番組情報を取得して参照し、予約された番組の放送予定状況の確認が行われる。さらに、放送予定時間の変更による延長が複数回に及ぶ場合にはこれを繰り返され、予約した番組の放送開始時刻の所定時間前に、視聴予約した携帯電話機１の位置情報が、上述したように取得される。そして、視聴予約サーバ２は、取得した位置情報に応じた放送番組のSI/PSI情報を取得し、電子メールに添付して携帯電話機１へ送信する。
【００４３】
なお、放送予定時間等の変更があった場合には、時間変更後の電子メール通知の前に、当初予定していた時間に放送時間の変更があったことを示す電子メールを送信するようにしても良い。すなわち、流動編成発生時には、当初視聴予約した番組放送開始の予定時間に、流動編成発生した旨の第１の電子メールを、視聴予約サーバ２が携帯電話機１へ送信して流動編成が発生したことをユーザに通知する。そして、時間変更後の当該番組開始時刻に当該番組を選局できるようにする選局情報を含む第２の電子メールを送信する。
【００４４】
以上のように、視聴予約サーバ２が視聴予約された番組の開始時刻を管理するため、タイマー予約する等、携帯電話機において時間管理する場合に比べ、省電力でありながら、放送時間の変更を知ることができるというメリットがある。例えば、野球時間の延長など、流動編成時には、放送局がSI/PSI情報を変更し送出するが、本提案の携帯電話ＴＶでは図４のスイッチ１１６を常時オフとしていても変更された開始時刻に合わせて電子メールを受信することが可能であり、SI/PSI情報の更新を常時管理する必要が無く、省電力でありながら、放送開始時刻の変更を知ることができる。
【００４５】
以上のように、第１の実施の形態によれば、全国ネットあるいは複数の地域において同時放送される番組であれば、予約した番組の放送時間に携帯電話機１がいる場所に最適なSI/PSIを含む選局情報を使用し、携帯電話機が予約していた番組の選局が可能となる。また移動先の放送時間が、予約したときの携帯電話機１の場所における放送時間と異なる場合には、その場所にあった時間に予約された番組の放送があることを通知することが可能である。
【００４６】
なお、予約した番組が全国ネットで同時放送される番組ではなく、中継すなわち放送されていない場所に使用者が移動している場合には、視聴予約サーバは番組が中継されていない場所に使用者が移動していることを示すメール通知を行うようにしてもよい。
【００４７】
（第２の実施の形態）
第１の実施の形態では、電子メールにSI/PSI情報を添付して送信するに際し、視聴予約サーバ２は携帯電話機１の現在位置を問い合わせてあるいは検索して、SI/PSI情報を提供する放送局のコンピュータからその現所在地に応じた放送番組のSI/PSI情報を得て、その得たSI/PSI情報を電子メールに添付してユーザに通知し、ユーザが電子メールを確認した上で視聴することとした。
【００４８】
これに対し、本第２の実施の形態では、ユーザが選局情報であるSI/PSI情報を含む電子メールの内容を確認する等の番組を視聴するための所定の操作を携帯電話機に対して行わない場合に、携帯電話機１が、予約した番組を携帯電話機１に接続もしくは内蔵された記憶装置にその番組データを記録、すなわち番組を録画する例を示す。なお、第１の実施の形態と同じ構成については、同一の符号を付して説明は省略し、異なる点のみを説明する。
【００４９】
図７は、第２の実施の形態に係る携帯電話機１０１の構成例を示すブロック図である。携帯電話機１０１は、選局復調回路１１４とMPEGデコード回路１１５の間に記憶装置１１９と切り替え回路１２０が設けられている点が、第１の実施の形態に係る携帯電話機１と異なる。後述するように、記憶装置１１９に放送番組の内容が録画される。選局復調回路１１４の出力信号は、記憶装置１１９の入力信号及び、切り替え回路１２０の一方の入力信号となっている。切り替え回路１２０の他方の入力信号は、記憶装置１１９の出力信号である。
【００５０】
図８は、携帯電話機１０１内の記憶装置１１９に放送番組の内容が録画される場合の処理の流れの例を示すフローチャートである。なお、以下の説明では、携帯電話機１０１内の記憶装置１１９は、図７に示すようにMPEGデコード回路１１５に入力される前の信号を記憶するものとするが、携帯電話機１０１内の記憶装置は、そのデコード後の信号もしくは、他の形態の信号を記憶するものであってもよい。
【００５１】
図８のフローチャートは、携帯電話機１０１が、電話の待ち受け受信状態、通話状態等の、テレビ放送の視聴を行っていない場合の処理を示す。  
まず、携帯電話機１０１は、電子メールの受信の有無を検出する（S101）。電子メールを受信しない場合には、この処理をループすることになる。電子メールを受信した場合には、S101でYESとなり、予め決められた時間のタイマーをリセットする（S102）。この予め決められた時間は、通話待ちすなわち電子メールの確認待ちの時間である。なお、そのタイマーは図７のマイコン１６のプログラムで実現しても良いし、図示はしないが専用のタイマー回路によって実現してもよい。
【００５２】
次に、携帯電話機１０１のユーザが電子メールの確認をしたか否かが判定される（S103）。もしユーザが電子メールの確認をした場合には、処理は、S101に戻り、電子メールの確認をしていない場合にはS104へ進む。
【００５３】
S104では、タイマーの経過時間が確認される。予め決められた時間が経過した場合には、処理は、S105へ進み、その予め決められた時間が経過していない場合にはS103へ戻る。なお、タイマーにセットされるその予め決められた時間はユーザが設定できるようになっている方が望ましい。
【００５４】
その予め決められた時間が経過した場合にはS105へ進み、受信した電子メールの内容を確認する。すなわち受信した電子メールが、テレビ放送視聴予約についての電子メールであるかどうかである。なお、テレビ放送視聴予約の電子メールかどうかを判断する場合、テレビ放送視聴予約の場合には、放送番組のSI/PSI情報が電子メールに添付されているので、その添付ファイルのデータに基づいて判断しても良いし、あるいは視聴予約サーバ２との間で予め決められたデータもしくは文字列を含ませることにしておき、そのデータもしくは文字列の有無あるいは内容に基づいて判断するようにしても良い。テレビ放送視聴予約に関する電子メールであった場合には、処理は、S106へ進み、テレビ放送視聴予約に関する電子メールでなかった場合には、S101へ戻る。
【００５５】
次に、処理がS106へ進んだ場合には、スイッチ１１６をオンし、その結果、選局復調回路１１４、映像音声等のデコード回路１１５等、テレブ放送を受信するための回路への電力供給が開始される。
【００５６】
次に、S107で電子メールに添付されたSI/PSI情報を抽出して、そのSI/PSI情報に従って、復調、選局、エラー訂正、MPEGデマルチプレックス等のために選局復調回路１１４を制御して予約された所望のチャンネルを選局する。
【００５７】
S108では、選局されたチャンネルの放送データを記憶装置１１９に記憶するために、番組の録画を開始し、続くS109で記憶されたデータ量が記憶装置１１９の記憶容量の制限を超えたか否かをチェックする。記憶装置１１９の記憶されたデータ量が記憶容量を超えていなければ、番組の放送が終了したか否かが判断される（S110）。番組が終了していなければ、S110でNOとなり、処理は、S109へ戻り、録画は継続される。記憶装置１１９の記憶されたデータ量が記憶容量を超えた場合、あるいは番組の放送が終了した場合は、記憶装置１１９への  放送データの記憶を停止、すなわち番組の録画を終了する（S111）。S111で録画を終了した後、S112でスイッチ１１６をオフにし、選局復調回路１１４、MPEGデコード回路１１５等、テレビ放送を受信するための回路ブロックへの電力供給を停止し、S101の処理へ戻る。
【００５８】
ユーザは、携帯電話機１０１を操作して記憶装置１１９に記憶されたデータの再生を指示すると、記憶装置１１９に記憶された放送データは、切り替え回路１２０を介してMPEGデコード回路１１５に供給され、再生される。  
以上のように、第２の実施の形態によれば、ユーザが電子メールの内容を確認する等の番組を視聴するための所定の操作を行わない場合には、自動的に携帯電話機内の記憶装置に放送内容が記録されるので、ユーザは、後で記録された放送内容を携帯電話機を利用して観ることができる。  
なお、以上の例では、記憶装置１１９は携帯電話機１０１に内蔵されているが、メモリカード等の外付けのものであってもよい。
【００５９】
以上のように上述した２つの実施の形態によれば、消費電力を抑え、かつテレビ放送の受信を的確に受信できる携帯端末装置を実現することができる。  
なお、以上の２つの実施の形態では、ユーザに電子メールを送信するに際し、視聴予約サーバ２が携帯電話機の現在位置を、携帯電話機１、１０１の位置情報を有するコンピュータから得て、そして、SI/PSI情報を提供する放送局のサーバ等のコンピュータからその位置情報に応じた放送番組のSI/PSI情報を入手し、電子メールにSI/PSI情報のデータファイルが添付して送信していた。これに対し、最初の電子メールにはSI/PSI情報を添付せず、そのSI/PSI情報を提供する放送局のサーバへのリンク先情報、例えばURL等の情報を供給し、図５のような電子メールを受信したユーザがその電子メールを読み、電子メールの文と共に示された視聴ボタン、例えばアイコンを押した際に、前記SI/PSI情報を提供する放送局のサーバに接続し、その接続した際に、前記SI/PSI情報を提供するサーバが携帯電話機１、１０１の現在位置情報を、通信事業者のコンピュータ等に問い合わせて取得することによって、前記SI/PSI情報を提供するサーバから、携帯電話機１、１０１がその場所に応じた放送番組のSI/PSI情報が提供されるようにしてもよい。
【００６０】
さらになお、視聴予約サーバ２は、携帯電話機１の位置情報を、携帯電話機１の通信を管理する通信事業者CのコンピュータCCとの通信によって得ているが、ユーザがエリアを超えて移動したときに、携帯電話機１を用いて、ユーザが視聴予約サーバ２へ自己の位置情報のデータを送信し、その位置情報に基づいて予約時刻が迫っているか否かをチェックすることによって、視聴予約サーバ２が、携帯電話機１への予約時刻が迫っていることを通知し、かつそのエリアに対応する番組情報を提供するための電子メールの送信をするようにしてもよい。
【００６１】
あるいは視聴場所の設定に関しては、視聴予約のメニューにおいて、視聴する場所をユーザが指定する方法であっても良い。すなわち、使用者が予め移動する場所をわかっている場合には、その場所を指定する。このようにすれば、例えば現在関東圏におり、予約時刻に関西圏に移動している予定の使用者は、関西圏のEPG画面を見ながら、視聴予約を行うことが可能である。
【００６２】
さらになお、視聴予約サーバ２から携帯電話機１へ全国の放送局のSI/PSI情報を送信し、携帯電話機１において地域をユーザに選択させることによって、ユーザのいる地域に対応するSI/PSI情報を用いて、携帯電話機１が予約された番組の選局を行うようにしてもよい。
【００６３】
本発明は、上述した実施の形態に限定されるものではなく、本発明の要旨を変えない範囲において、種々の変更、改変等が可能である。
【産業上の利用可能性】
【００６４】
本発明は、地上波デジタル・テレビ放送でない、テレビ放送にも応用できるものである。
【図面の簡単な説明】
【００６５】
【図１】本実施の形態に係わるデジタル・テレビ放送受信システムの構成を示す構成図である。
【図２】視聴予約サーバにおける番組予約処理の流れの例を示すフローチャートである。
【図３】視聴予約サーバにおける携帯電話機への選局情報の送信処理の流れの例を示すフローチャートである。
【図４】本実施の形態に係わる携帯電話機の構成例を示すブロック図である。
【図５】ユーザがテレビ放送の視聴予約をしてあったことを示す表示例を示す図である。
【図６】携帯電話機の電子メールの受信時の処理の流れの例を示すフローチャートである。
【図７】第２の実施の形態に係る携帯電話機の構成例を示すブロック図である。
【図８】携帯電話機内の記憶装置に放送番組の内容が録画される場合の処理の流れの例を示すフローチャートである。
【符号の説明】
【００６６】
１，１０１  携帯電話機、２  視聴予約サーバ、３  インターネット、A1,・・An,B1,・・Bm  放送局、AC1,・・ACn,BC1,・・BCm  放送局コンピュータ、C  通信事業者、CC  通信事業者コンピュータ
【図１】
2005109588.tif 000003
【図２】
2005109588.tif 000004
【図３】
2005109588.tif 000005
【図４】
2005109588.tif 000006
【図５】
2005109588.tif 000007
【図６】
2005109588.tif 000008
【図７】
2005109588.tif 000009
【図８】
2005109588.tif 000010